(57)【要約】【課題】  特に高齢者にとっては日常生活の機能回復を図ることにより痴呆症を予防・改善することができ、一方、介護者等にとっては高齢者の状態を客観的に判断することができる新規な痴呆症の予防改善システムの開発を技術課題とした。【解決手段】  痴呆症の予防改善プログラムＰには、生活訓練プログラムＰ１と、応用プログラムＰ２とが含まれるものであり、これらのプログラムを実行することにより利用者に模擬体験をさせ、この模擬体験にともなう思考、決定、想起等の精神活動を通じて利用者の脳を刺激し、痴呆症の予防と改善を図るようにしたことを特徴として成り、高齢者の基本的生活習慣の機能回復を図ることができるとともに、痴呆症の予防・改善を図ることができる。【選択図】図１
2005160806.tif 000002
【特許請求の範囲】
【請求項１】
表示装置と、入力装置と、記憶装置と、処理装置とを具えて成るコンピュータを用い、前記表示装置上の表示に従って利用者が入力を行うことにより痴呆症の予防改善プログラムを実行してゆくシステムにおいて、前記記憶装置に記録される痴呆症の予防改善プログラムには、生活訓練プログラムと、応用プログラムとが含まれるものであり、これらのプログラムを実行することにより利用者に模擬体験をさせ、この模擬体験にともなう思考、決定、想起等の精神活動を通じて利用者の脳を刺激し、痴呆症の予防と改善を図るようにしたことを特徴とする痴呆症の予防改善システム。
【請求項２】
前記生活訓練プログラムは、自宅内における生活行動の模擬体験を実施するためのものであり、且つ複数の訓練プログラムの中から適宜のものが適当数選択されて実行されることを特徴とする請求項１記載の痴呆症の予防改善システム。
【請求項３】
前記応用プログラムは、利用者によって実行される目的を利用者自身によって決定する目的決定プログラムと、この目的決定プログラムにおいて決定された目的を実施する目的実行プログラムとを含むものであることを特徴とする請求項１または２記載の痴呆症の予防改善システム。
【請求項４】
前記目的実行プログラムは、自宅外における生活行動の模擬体験を実施するためのものであり、且つ複数の目的プログラムの中から利用者自身によって選択された一または複数の目的プログラムが実行されるものであることを特徴とする請求項３記載の痴呆症の予防改善システム。
【請求項５】
前記記憶装置には、前記生活訓練プログラム及び応用プログラムに加え、問診プログラムが記録されるものであり、前記目的決定プログラムの実行中に決定された目的と、前記目的実行プログラムの実行中に利用者によって選択されて実行された目的プログラムとを比較した結果または問診プログラムの実行中に入力された結果のいずれか一方または双方から、利用者の状態を判断することを特徴とする請求項４記載の痴呆症の予防改善システム。
【請求項６】
前記目的決定プログラムの実行中に決定される目的は、難易度に応じて一または複数が選択されるものであることを特徴とする請求項３、４または５記載の痴呆症の予防改善システム。
【発明の詳細な説明】
【技術分野】
【０００１】
本発明は痴呆症の予防・改善手段に関するものであって、特に高齢者にとっては日常生活の機能回復を図ることができ、一方、介護者にとっては高齢者の状態を客観的に判断することができる痴呆症の予防改善システムに係るものである。
【背景技術】
【０００２】
近年、日本の全人口に占める高齢者の割合が急増しており、これに伴い高齢化社会特有の様々な問題への対応が迫られている。このうち特に高齢者に発症することの多い痴呆症については、夜間せん妄想（夜になると興奮し言動がおかしくなる）、徘徊といった患者の不自然な言動が日常生活での留意の範囲を越え、保健医療の対象となる例が少ないこと等から、日常生活の面倒をみる家族や老人保健施設等にとっても充分な対応をとらなければならない問題となっている。
【０００３】
前記痴呆症は、脳神経細胞の減少・変成、脳血管障害、アルツハイマー病等が原因となるものであり、更に職業・社会生活全般からの引退や家庭内での仕事からの引退等による生活の単調化が大きな要因となっていると考えられている。
【０００４】
上述のような痴呆症の症状は、投薬治療やリハビリテーションによって進行を遅らせたり、予防・改善が期待できるものであり、積極的に頭を使う等して脳に刺激を与えることが有効とされている。
具体的には特に右脳刺激（音楽・絵画鑑賞、トランプ等のゲーム類、俳句・川柳、スポーツ、動物の飼育、ギャンブル予測、書道・華道・茶道、裁縫、園芸、旅行、男女交際、日曜大工等）が痴呆症の予防・改善を図るのに有効とされ、これにより前痴呆、軽度痴呆の４０〜６０％に改善効果が認められたとの報告もある。
しかしながら老人ホームや老人保健施設で暮らす高齢者や、体の不自由な高齢者にとっては、上記右脳刺激を実行することは思いのほか困難なものである。
【０００５】
そこで近年広く普及しているパソコン・家庭用テレビゲーム機等のソフトとして、上記右脳刺激を行うためのシミュレーション的要素を盛り込んだものが登場してきている。具体的にはプレイヤーが主人公となって旅行に出るといったものや、記憶力、判断力、思考力、瞬発力、構成力等をそれぞれ刺激する簡単なミニゲームを収録したもの等が開発され、すでに一般に提供されているものもある。
【０００６】
このような状況の下、本出願人にあっては、利用者毎の痴呆症の程度に応じた適切な右脳刺激手段を選択することができるとともに、特に見当識障害の予防・改善を図ることを目的とした新規な痴呆防止システムを開発し、既に特「痴呆防止システム」として特許出願に及んでいる（特許文献１参照）。
そして本出願人はその後も痴呆症の予防・改善に関する研究・開発を継続して行ってきたものであり、痴呆症の改善には初期段階での治療が有効であって、低下した基本的生活習慣の機能回復を図ることが痴呆症の予防・改善に効果があることに着目し、特に過去に経験してきた基本的生活習慣を再度知覚できるようにし、もって知覚・身体機能等の機能回復を図るシステムの開発に着手するに至った。
【特許文献１】特開２００３−１０７９８３公報（図１）
【発明の開示】
【発明が解決しようとする課題】
【０００７】
本発明はこのような背景からなされたものであって、特に高齢者にとっては日常生活の機能回復を図ることにより痴呆症を予防・改善することができ、一方、介護者等にとっては高齢者の状態を客観的に判断することができる新規な痴呆症の予防改善システムの開発を技術課題としたものである。
【課題を解決するための手段】
【０００８】
すなわち請求項１記載の痴呆症の予防改善システムは、表示装置と、入力装置と、記憶装置と、処理装置とを具えて成るコンピュータを用い、前記表示装置上の表示に従って利用者が入力を行うことにより痴呆症の予防改善プログラムを実行してゆくシステムにおいて、前記記憶装置に記録される痴呆症の予防改善プログラムには、生活訓練プログラムと、応用プログラムとが含まれるものであり、これらのプログラムを実行することにより利用者に模擬体験をさせ、この模擬体験にともなう思考、決定、想起等の精神活動を通じて利用者の脳を刺激し、痴呆症の予防と改善を図るようにしたことを特徴として成るものである。
この発明によれば、高齢者の基本的生活習慣の機能回復を図ることができるとともに、痴呆症の予防・改善を図ることができる。
【０００９】
また請求項２記載の痴呆症の予防改善システムは、前記要件に加え、前記生活訓練プログラムは、自宅内における生活行動の模擬体験を実施するためのものであり、且つ複数の訓練プログラムの中から適宜のものが適当数選択されて実行されることを特徴として成るものである。
この発明によれば、利用者毎の痴呆症の程度及び過去の生活様式に応じて適切な訓練プログラムを選択、実行することができるため、痴呆症の予防・改善をより効果的に行うことができる。
【００１０】
更にまた請求項３記載の痴呆症の予防改善システムは、前記要件に加え、前記応用プログラムは、利用者によって実行される目的を利用者自身によって決定する目的決定プログラムと、この目的決定プログラムにおいて決定された目的を実施する目的実行プログラムとを含むものであることを特徴として成るものである。
この発明によれば、目的決定プログラムにおいて利用者が決定した目的を、利用者自身が目的実行プログラムにおいて実行するため、利用者は目的の決定、目的実行のための手段の選択、その手段の実行、及び目的の実行といった一連の行為を模擬体験することにより、基本的生活習慣の機能回復を図ることができる。
【００１１】
更にまた請求項４記載の痴呆症の予防改善システムは、前記請求項３記載の要件に加え、前記目的実行プログラムは、自宅外における生活行動の模擬体験を実施するためのものであり、且つ複数の目的プログラムの中から利用者自身によって選択された一または複数の目的プログラムが実行されるものであることを特徴として成るものである。
この発明によれば、利用者に対して、思考、決定、想起といった一連の精神活動を、生活行動の模擬体験を通じて体験させることができる。
【００１２】
更にまた請求項５記載の痴呆症の予防改善システムは、前記請求項４記載の要件に加え、前記記憶装置には、前記生活訓練プログラム及び応用プログラムに加え、問診プログラムが記録されるものであり、前記目的決定プログラムの実行中に決定された目的と、前記目的実行プログラムの実行中に利用者によって選択されて実行された目的プログラムとを比較した結果または問診プログラムの実行中に入力された結果のいずれか一方または双方から、利用者の状態を判断することを特徴として成るものである。
この発明によれば、システムの管理者や介護者等は、利用者（高齢者）の状態を客観的に判断することができる。
【００１３】
更にまた請求項６記載の痴呆症の予防改善システムは、前記請求項３、４または５記載の要件に加え、前記目的決定プログラムの実行中に決定される目的は、難易度に応じて一または複数が選択されるものであることを特徴として成るものである。
この発明によれば、利用者の痴呆状態や馴れに応じた数の目的が実行されるため、利用者は、難し過ぎ、簡単過ぎ等と感じることなく本システムを利用することができ、高齢者の基本的生活習慣の機能回復を図ることができるとともに、痴呆症の予防・改善を図ることができる。
そしてこれら各請求項記載の発明の構成を手段として前記課題の解決が図られる。
【発明の効果】
【００１４】
本発明によれば、特に高齢者にとっては日常生活の機能回復を図ることにより痴呆症を予防・改善することができ、一方、介護者等にとっては高齢者の状態を客観的に判断することができる。
【発明を実施するための最良の形態】
【００１５】
以下本発明の痴呆症の予防改善システムについて図示の実施例に基づいて具体的に説明する。なおこの実施例に対し本発明の技術的範囲内における技術的改変を加えることも可能である。
【実施例】
【００１６】
以下本発明の痴呆症の予防改善システムＳについて図面を参照しながら説明する。本発明の痴呆症の予防改善システムＳは、コンピュータ１を用い、痴呆症の予防改善プログラムＰを実行することにより利用者に模擬体験をさせるものであり、この模擬体験にともなう思考、決定、想起等の精神活動を通じて利用者の脳を刺激し、痴呆症の予防と改善を図るものである。
【００１７】
前記コンピューター１には図２に示すように、表示装置２と、入力装置３と、記憶装置４と、処理装置５とが具えられるものであり、このようなコンピュータ１としては市販のデスクトップ型パソコン等が適用される。このものは本体１Ａと、表示装置２たるカラー表示のできるディスプレイ（ＣＲＴ、液晶等）と、入力装置３たるキーボード３０、マウス３１及びマイク３２と、更に左右一対のスピーカ８とを具えて成るものである。
【００１８】
前記本体１Ａ内には処理装置５たるＣＰＵ等を内蔵するものであり、更に記憶装置４たるＨＤＤ等と、メディアドライブ６たるＦＤ、ＣＤＲＯＭ等のドライブ装置と、通信デバイス７たるモデム、ＴＡ、ネットワークアダプタ、ルータ等とが内蔵される。もちろんこれら装置は別途外付けするようにしてもよい。
なおコンピュータ１としてノート型パソコンを用いることももちろん可能であり、この場合には、前記表示装置２、入力装置３、記憶装置４、処理装置５、メディアドライブ６、通信デバイス７及びスピーカ８は、適宜のケースに内蔵される。
【００１９】
そしてこの実施例で示す痴呆症の予防改善システムＳは図３に示すように、一例として利用者の居所（自宅、病院、老人保健施設）等に配したり、コンパクト化して訪問介護者が携行する前記コンピュータ１をインターネット１０を通じてシステム運営者が管理するサーバ１１と接続した形態を採るものであり、痴呆症の予防改善プログラムＰをサーバ１１内に具えたＨＤＤ等の記憶装置に記録して成るシステムである。なおコンピュータ１及びサーバ１１はそれぞれインターネットサービスプロバイダ１２、１３を介してインターネット１０に接続される。
【００２０】
そして前記サーバ１１にはデータベースが構築されるものであり、個人情報と、痴呆症の予防改善プログラムＰと、素材画像とがそれぞれのデータベースに記録される。なお前記個人情報としては、利用者の氏名、性別、年齢、生年月日、痴呆症の予防改善システムＳの利用履歴（利用回数、利用日時、過去に行った生活訓練プログラムＰ１、過去の結果等）等が該当する。
【００２１】
また前記痴呆症の予防改善プログラムＰとは図１のフローチャートに示すように、生活訓練プログラムＰ１、応用プログラムＰ２及び問診プログラムＰ３を含んで構成されたプログラムである。なお生活訓練プログラムＰ１及び応用プログラムＰ２は、これらのプログラムを実行することにより利用者に模擬体験をさせるものであり、この模擬体験にともなう思考、決定、想起等の精神活動を通じて利用者の脳を刺激し、痴呆症の予防と改善を図るものである。
以下これら各プログラムについて詳細に説明する。
【００２２】
まず前記生活訓練プログラムＰ１は、主に自宅や老人保健施設等、利用者の居所内における生活行動の模擬体験を実施するためのものであり、且つ複数の訓練プログラムＰ１１の中から適宜のものが適当数選択されて実行されるものである。
ここで前記訓練プログラムＰ１１による模擬体験は図６に示すように、「１．身の回りの点検」、「２．金銭の計算」、「３．家の中の点検」、「４．玄関の施錠の点検」、「５．育児ゲーム」、「６．日記及び昔のこと」、「７．絵画組み合わせ」、「８．電化製品説明」、「９．電話（携帯電話）」、「１０．食事仕度と接待」、「１１．礼儀作法」、「１２．道具・物品の整理」、「１３．最近の出来事」、「１４．洗面道具と使用」、「１５．社会奉仕活動」、「１６．衛生の学習」等の項目が設定されている。
そして個々の訓練プログラムＰ１１においては、表示装置２にＣＧや実写映像の画像を映し出すとともに必要に応じてスピーカ８から音声を流し、これらの映像及び音声を通じて利用者に日常生活の模擬体験を行わせるものである。なお訓練プログラムＰ１１の詳細については後程、痴呆症の予防改善システムＳ全体の説明の際に説明する。
【００２３】
また前記応用プログラムＰ２は、利用者によって実行される目的を利用者自身によって決定する目的決定プログラムＰ２１と、この目的決定プログラムＰ２１において決定された目的を実施する目的実行プログラムＰ２２とを含むものである。前記目的実行プログラムＰ２２は、自宅や老人保健施設等、利用者の居所外における生活行動の模擬体験を実施するためのものであり、且つ複数の目的プログラムＰ２２０の中から利用者自身によって選択された一または複数の目的プログラムＰ２２０が実行される。
なお目的決定プログラムＰ２１としては、例えば利用者に大枠での指示テーマを与え、この指示テーマに沿って利用者が考えて目的実行プログラムＰ２２を選択し、行動するような形態を採ることもできる。例えば「夕食を作って下さい。」という指示テーマに対して、利用者が献立を決め、必要な食材を買いに出掛けるといった内容である。
【００２４】
ここで前記目的プログラムＰ２２０とは図４に示すように、一例として「１．食事」、「２．散歩」、「３．買物」、「４．用事」、「５．映画」、「６．趣味・習い事」、「７．発表会・展示会」等の項目が設定されており、更にそれぞれの項目は、図５に示すように目的に対応した目的地が設定されるものである。
この実施例では、「食事」の目的プログラムＰ２２０は「喫茶店」及び「レストラン」、「散歩」の目的プログラムＰ２２０は「狩野川公園」及び「千本公園」、「買物」の目的プログラムＰ２２０は「デパート」、「スーパーマーケット」及び「商店街」、「用事」の目的プログラムＰ２２０は「市役所」、「銀行」、「駅」及び「郵便局」、「映画」の目的プログラムＰ２２０は「映画館」、「趣味・習い事」の目的プログラムＰ２２０は「学校」、「発表会・展示会」の目的プログラムＰ２２０は「文化会館」においてそれぞれ実施されるように設定されている。
更には例えば「スーパーマーケット」において「買物」を行う場合には、「肉」、「野菜」、「果物」、「魚」、「菓子」、「飲料水」、「酒」、「日用品」等が「買物」の対象となるように選択可能とされている。
【００２５】
更にまた前記問診プログラムＰ３は、システムの管理者や介護者等が、利用者（高齢者）の状態を客観的に判断するためのプログラムの一つであり、この実施例では一例として長谷川式痴呆スケール等の痴呆症回想検査法に準ずる質問を表示装置２に表示し、利用者が回答を入力してゆくものとした。前記質問としては一例として、「今年は何年ですか。」、「今月は何月ですか。」、「今日は何日ですか。」、「ここはどこですか。」、「あなたの性別は。」等を採用した。
【００２６】
また前記素材画像とは、前記生活訓練プログラムＰ１、応用プログラムＰ２及び問診プログラムＰ３の実行中に表示装置２に表示される画像のことであり、目的地、移動中の風景、目的の対象物等の静止画及び動画が適宜の形式（ＪＰＥＧ、ＭＰＥＧ等）でデジタル化された状態で保存されるものである。
【００２７】
本発明の痴呆症の予防改善システムＳは一例として上述したように構成されるものであり、以下このシステムの運用態様について、図１に示すフローチャートに従って説明する。なおこの実施例で説明する痴呆症の予防改善システムＳは一例として、前記問診プログラムＰ３、目的決定プログラムＰ２１（応用プログラムＰ２）、生活訓練プログラムＰ１、目的実行プログラムＰ２２（応用プログラムＰ２）の順で実行されてゆくものである。
【００２８】
〔ログオン〕
まず利用者はコンピュータ１を操作し、インターネット１０を通じてサーバ１１にアクセスするとともに、キーボード３０の操作やバーコードを印刷したＩＤカードを用いる等してパスワードを入力するものであり、このパスワードに基づいて本人確認が行われログオンする（図示省略）。もちろん初めての利用の際には、パスワードは発行されていないため、適宜のウィザードに従って登録、パスワードの発行等を受けるようにする。またこのような操作を介護者が行うようにしてもよい。
【００２９】
〔問診プログラムの実行〕
続いて痴呆症の予防改善プログラムＰが実行されるものであり、表示装置２には適宜のスタート画面が表示された後、問診プログラムＰ３が実行され、ステップＳ１において所定の質問が表示される。利用者はこの質問に対する回答を適宜キーボード３０やマウス３１によって入力する（ステップＳ２）。この実施例では「今年は何年ですか。」、「今月は何月ですか。」、「今日は何日ですか。」の三問について回答を求めるようにした。なお以下の説明において単に「表示される」と表現した場合には、前記表示装置２の画面に表示が成されることを意味するものである。
そして所定数の質問の表示と回答の入力が行われたことをステップＳ３において判断した場合にはステップＳ４に進んで目的決定プログラムＰ２１が実施される。なおこの問診プログラムＰ３において入力された回答は、記憶装置４の適宜の領域に記録されるものであり、更に以下のプログラム実行中に利用者によって入力された情報も同様に記録されるものである。
なおこの実施例では、生活訓練プログラムＰ１、目的決定プログラムＰ２１及び目的実行プログラムＰ２２の各項目において入力を三回失敗した場合には、メッセージを画面表示して痴呆症の予防改善システムＳを終了するようにした。この際、利用者の自信を喪失させたり、自尊心を傷つけないように配慮するものであり、例えば「お疲れさまでした！貴方の今回の挑戦は称賛に値します。またチャレンジして下さい！！」等のポジティブな言葉を表示するようにする。
【００３０】
〔目的決定プログラム（応用プログラム）の実行〕
次いでステップＳ４において、利用者の本システムに対する履歴及び問診プログラムＰ３においてなされた回答を基に、利用者のレベルを決定するものであり、この実施例では一例として、「初級」、「買物専用（中級）」、「複数組合せ（上級）」の三段階のレベルを設定した。そしてこれら各々のレベルに応じて目的決定プログラムＰ２１において利用者が決定（選定）することのできる「目的」の態様を異ならせるものである。
具体的には「初級」では、利用者は図４に示した「食事」、「散歩」、「買物」、「用事」、「映画」、「趣味・習い事」、「発表会・展示会」の項目に該当するものの中から一つを選択できるものである。また「買物専用（中級）」では、利用者は前記項目の内、「買物」に該当するもののみを選択できるものであり、複数の目的地及び買物対象を選択できるものである。更にまた「複数組合せ（上級）」では、利用者は特に制限を受けることなく複数の項目を選択できるものである。
【００３１】
そしてステップＳ５において図４に示す目的リストが表示されるものであり、利用者はステップＳ６において「目的」を決定して入力する。続いてステップＳ７において図５に示す目的地リストが表示されるものであり、利用者はステップＳ８において「目的地」を決定して入力する。そしてステップＳ９において前記ステップＳ４において決定された利用者のレベルに応じた数の「目的」及び「目的地」の決定が完了したことが確認されたらステップＳ１０に進み、そうでなければステップＳ５に戻って次の「目的」及び「目的地」の決定が行われる。なおこの実施例では、「初級」レベルの利用者が「目的」として「食事」を選択し、「目的地」として「レストラン」を選択する場合を想定して説明するものとする。
【００３２】
〔生活訓練プログラムの実行〕
そしてステップＳ１０において利用者が行う訓練プログラムＰ１１の選定を行うものであり、この実施例では、利用者が過去に実施した訓練プログラムＰ１１の情報及びステップＳ１〜ステップＳ３で行った問診プログラムＰ３の結果等に応じてシステム側で選定するものである。もちろん利用者自身が図６に示す訓練プログラムＰ１１のリストの中から選定するようにしてもよい。またこの実施例では一例として、「身の回り点検」、「家の回り点検」、「玄関の鍵点検」の三種類の訓練プログラムＰ１１を実施するようにしたがこの数については適宜加減できるものである。
【００３３】
そして利用者はまずステップＳ１１において訓練プログラムＰ１１である「身の回り点検」を実行することにより、「身の回り点検」の模擬体験をする。
具体的には、この実施例では図７に示すように、まず「服装」の点検を行い、続いて「財布」の点検及び「お金」の金額の確認を行い、引き続いて「用便」の確認を行うものである。なお各点検項目では、表示装置２にアニメーションやＣＧを表示するものであり、服、財布、お金、トイレ等を映し出した画面中に利用者が入り込み、マウス３１やキーボード３０の操作によって上記各動作を行えるようにした。
また例えば「用便」を完了した後に水を流す音をスピーカ８から出すようにすれば、模擬体験がより現実的なものとなる。
【００３４】
またステップＳ１２において訓練プログラムＰ１１である「家の回り点検」を実行することにより、利用者は「家の回り点検」の模擬体験をするものである。
具体的には、この実施例では図８に示すように、まず「ガス」の点検を行い、続いて「水道」、「電気」、「風呂」、「戸締り」の点検を行うものである。なおそれぞれの点検項目では、アニメーションやＣＧによって表現された画像によって確認を行うようにするものであり、例えば「電気」の点検では居間、寝室、台所、風呂場等複数個所のうちの任意の部屋の電気がランダムに点灯された状態とし、利用者が適宜の操作を行って全ての電気が消えた状態となるようにするようにした。
【００３５】
更にまたステップＳ１３において訓練プログラムＰ１１である「玄関の鍵点検」を実行することにより、利用者は図９に示すように「 玄関の内側」、「 玄関の外側」双方の「玄関の鍵点検」の模擬体験をするものである。
なおこの点検項目でも、アニメーションやＣＧによって表現された画像によって確認を行うようにするものであり、玄関を映し出した画面中に利用者が入り込み、マウス３１やキーボード３０の操作によって施錠動作を行うようにした。
【００３６】
〔目的実行プログラム（応用プログラム）の実行〕
次いでステップＳ１４に進み目的実行プログラムＰ２２を実行するものであり、図１０に示すように表示装置２には地図が表示され、複数個所から自分が居る所を選択させるようにする。この実施例では「１．自宅」、「２．病院」、「３．介護センター」の三カ所を表示するとともに、「あなたの居る場所はどこですか。判りましたらマウスで場所をクリックして下さい。」とのメッセージを表示したり、スピーカ８から音声として出力するようにする。
そしてステップＳ１５において、利用者が地図の中から自分の現在地を正確に選択したらステップＳ１６に進む。
【００３７】
続いてステップＳ１６において図１１に示すように表示装置２には目的地の地図が表示されるものであり、複数個所から自分が行く所を選択させるようにする。この実施例ではステップＳ５において表示した「目的地」である「１．喫茶店」、「２．レストラン」、「３．狩野川公園」、「４．千本公園」、「５．デパート」、「６．スーパーマーケット」、「７．商店街」、「８．市役所」、「９．銀行」、「１０．駅」、「１１．郵便局」、「１２．映画館」、「１３．学校」及び「１４．文化会館」の十四カ所を表示するとともに、「あなたの目的地はどこですか。判りましたらマウスで場所をクリックして下さい。」とのメッセージを表示またはスピーカ８から流すようにする。
そしてステップＳ１７において、利用者が地図の中から自分の目的地を正確に選択したらステップＳ１８に進む。
【００３８】
そしてステップＳ１８において図１２に示すような移動手段のリストが表示されるものであり、利用者はステップＳ１９においてリストの中から適宜の移動手段を選択する。この実施例では、「１．タクシー」、「２．バス」、「３．徒歩」、「４．電車」の中から選択させるようにしたが、例えば「現在地」と「目的地」とが近い場合には徒歩のみが選択できるようにする。なお「現在地」と「目的地」とが遠い場合にはタクシー、バス、電車の中から一手段または複数手段が選択できるようにして、移動手段選択の模擬体験がより現実的なものになるようにすることもできる。
【００３９】
そしてステップＳ２０において表示装置２には移動風景が映し出されるものであり、「現在地」（出発点）から「目的地」までのタクシー、バスまたは電車の車窓あるいは歩行者の視界の映像が映し出される（図１２、ステップＳ２１、ステップＳ２２）。
【００４０】
続いてステップＳ２３において目的プログラムＰ２２０が実行されるものであり、まず「目的地」である「レストラン」の入口の映像が表示装置２に映し出されるものであり、利用者は確認の入力を行う (図１３参照）。
続いて「レストラン」の内部映像が映し出されるものであり、更に「目的」である「食事」を達成するためのアイテムが表示されるものであり、この実施例では図１４に示すようなメニューＭが表示される。そして利用者はメニューＭの中から適宜の品目を選択することにより、「目的」を達成することとなる。なおこのとき、画面上に所持金の額を表示しておき、所持金を超えた消費ができないようにすることもできる。
【００４１】
そしてステップＳ２４において、前記ステップＳ６で決定した目的を全て達成したかどうかを判断し、達成していた場合はステップＳ２５に進んで終了画面を表示する。一方、達成していなかった場合には、ステップＳ１４に戻って次の目的を達成するための一連の模擬体験を行ってゆく（ステップＳ１４〜ステップＳ２３）。
【００４２】
〔結果判定〕
そしてステップＳ２６において結果判定を行うものであり、図１５に示すように、生活訓練プログラムＰ１、応用プログラムＰ２および問診プログラムＰ３において利用者が入力した情報と、これに基づいて判断された痴呆症の度合い等を表示する。なおこの表示については、利用者及びその家族等への配慮として、施設の関係者あるいは管理者のみが判る記号や数字としたり、前記表示装置２とは別の装置に表示するようにした。
【００４３】
なおこの結果表示の次に、利用者が交通手段を選択、利用して居所に戻り、財布を元の場所に戻すといったところまで模擬体験を行わせるようにすることもできる。
【００４４】
〔改変例〕
本発明は上述した実施例を基本となる実施例とするものであるが、本発明の技術的思想に基づいて以下に示すような改変を加えることもできる。
まず上述した基本となる実施例では、生活訓練プログラムＰ１、目的決定プログラムＰ２１及び目的実行プログラムＰ２２の各項目において入力を三回失敗した場合には、メッセージを画面表示して痴呆症の予防改善システムＳを終了するようにしたが、各項目において失敗が重なった場合であっても、次の段階に進むようにすることもできる。
更に各項目において三回失敗するような状況では、利用者の集中力が低下しているケースもあるため、いったん痴呆症の改善プログラムＰから離れ、利用者に１／ｆ画像、１／ｆ音声あるいは刺激図形を視聴させて脳波をα波の状態とするとともに短期記憶を活性化させたのち、再び痴呆症の改善プログラムＰに戻るようにすることもできる。
ここで前記「１／ｆゆらぎ画像」とは、１／ｆゆらぎを有する動画または静止画を意味するものであり、１／ｆゆらぎを有する動画の例としては、風によって湖面に小波が発生する映像や、微風で揺れる草木や枝の映像等の「自然画像」が挙げられ、その動きに関するパワースペクトルが１／ｆ型スペクトルとなるものである。また１／ｆゆらぎを有する静止画の例としては、マンガ、水墨画等の「抽象画」や、木目模様等の「自然画像」あるいはこれらの画像を０.1〜２Ｈｚで揺らしたもの等が挙げられ、その空間周波数に関するパワースペクトルが１／ｆ型スペクトルとなるものである。なお前記空間周波数とは、視角一度当たりに、明暗の繰り返しが何周期あるかを示すものである。
【００４５】
また前記「１／ｆゆらぎ音声」としては、「クラッシック音楽」、波打ち際の音や川のせせらぎ等の「自然音」、人工的に作成した「特殊効果音」等、その音響出力あるいは周波数変動に関するパワースペクトルが１／ｆ型スペクトルとなるものである。
【００４６】
更にまた前記「刺激図形」とは、脳神経細胞を刺激する形状、傾き、色彩、空間周波数を有する図形を意味するものである。具体的には、人間の脳神経細胞（大脳皮質一次視覚野）は、色（赤、青、緑等）、形状（人の顔、建物等）、模様（縦縞、横縞等）等毎にそれぞれ応答する脳神経細胞が異なるものであり、刺激図形はこれに従って種々の色彩、模様、形状の刺激図形が用意されるものである。
【００４７】
また上記基本となる実施例で示した痴呆症の予防改善システムＳは、コンピュータ１をインターネット１０を通じてサーバ１１に接続するネットワーク接続型のシステムとして構成したものであり、痴呆症の予防改善プログラムＰをサーバ１１内に記録したシステムであったが、前記痴呆症の予防改善プログラムＰをコンピュータ１に具えた記憶装置４あるいはＣＤ−ＲＯＭ、ＤＶＤ−ＲＯＭ等のメディアに記録したスタンドアロン型のシステムとして構成することもできる。
【００４８】
また前記基本となる実施例では、コンピュータ１として市販のデスクトップ型パソコンを適用したが、近時高性能化が著しい家庭用ゲーム機を用いることも可能であり、この場合、表示装置２としてはテレビ受像機が用いられる。
もちろんこの場合でも、痴呆症の予防改善システムＳは、ネットワーク接続型またはスタンドアロン型のいずれの形態をも採ることができる。
【００４９】
更にまた前記基本となる実施例では、入力装置３としてキーボード３０及びマウス３１を用いたが、高齢者にとってこれら入力装置３は必ずしも扱いやすいものではないため、表示装置２たるディスプレイをタッチパネル式のものにして入力装置３の機能を持たせるようにしてもよい。また入力ボタンを大きくした専用の入力装置を製作してこれを用いるようにしてもよい。
【００５０】
更にまた前記基本となる実施例では、目的地までの移動中の動画を表示装置２上に表示するようにしたが、３ＤＣＧで作成された仮想空間を表示装置２に表示し、利用者がキーボード３０やマウス３１を操作して仮想空間内を移動できるようにしてもよい。
【図面の簡単な説明】
【００５１】
【図１】本発明の痴呆症の予防改善システムを用いた痴呆症の予防改善プログラムの流れを示すフローチャートである。
【図２】コンピュータを示す斜視図である。
【図３】本発明の痴呆症の予防改善システムを示すブロック図である。
【図４】表示装置に表示される目的リストを示す模識図である。
【図５】表示装置に表示される目的地リストを示す模識図である。
【図６】表示装置に表示される生活訓練プログラムリストを示す模識図である。
【図７】訓練プログラムの一例である身の回り点検の流れを示すブロック図である。
【図８】訓練プログラムの一例である家の中点検の流れを示すブロック図である。
【図９】訓練プログラムの一例である玄関の施錠の流れを示すブロック図である。
【図１０】目的実行プログラムにおいて出発地が表示された画面を示す模識図である。
【図１１】目的実行プログラムにおいて目的地が表示された画面を示す模識図である。
【図１２】目的実行プログラムにおいて移動手段を選択する画面を示す模識図である。
【図１３】目的実行プログラムにおいて目的地到着時の流れを示すブロック図である。
【図１４】目的実行プログラムにおいて目的の対象を選択する画面を示す模識図である。
【図１５】判定結果を示す表である。
【符号の説明】
【００５２】
１          コンピュータ
１Ａ        本体
２          表示装置
３          入力装置
３０        キーボード
３１        マウス
３２        マイク
４          記憶装置
５          処理装置
６          メディアドライブ
７          通信デバイス
８          スピーカ
１０        インターネット
１１        サーバ
１２        インターネットサービスプロバイダ
１３        インターネットサービスプロバイダ
Ｐ          痴呆症の予防改善プログラム
Ｐ１        生活訓練プログラム
Ｐ１１      訓練プログラム
Ｐ２        応用プログラム
Ｐ２１      目的決定プログラム
Ｐ２２      目的実行プログラム
Ｐ２２０    目的プログラム
Ｐ３        問診プログラム
Ｓ          痴呆症の予防改善システム
Ｍ          メニュー
【図１】
2005160806.tif 000003
【図２】
2005160806.tif 000004
【図３】
2005160806.tif 000005
【図４】
2005160806.tif 000006
【図５】
2005160806.tif 000007
【図６】
2005160806.tif 000008
【図７】
2005160806.tif 000009
【図８】
2005160806.tif 000010
【図９】
2005160806.tif 000011
【図１０】
2005160806.tif 000012
【図１１】
2005160806.tif 000013
【図１２】
2005160806.tif 000014
【図１３】
2005160806.tif 000015
【図１４】
2005160806.tif 000016
【図１５】
2005160806.tif 000017